(57)【特許請求の範囲】
【請求項１】
用紙を給紙搬送し、この用紙の搬送経路での搬送タイミングを検知する搬送検知手段を有し、前記用紙に画像を形成して排出する一連の制御処理を実行する画像処理装置であって、
前記搬送検知手段により用紙のジャム発生を検知し、ジャム発生に応じた所定の制御を行う制御手段と、
前記制御手段の制御信号にしたがってジャム発生位置に応じて当該ジャム用紙を装置外に設けた所定の保管場所に破棄するように促す報知を行うジャム用紙処置報知手段と、
を備えることを特徴とする画像処理装置。
【請求項２】
用紙を給紙搬送し、この用紙の搬送経路での搬送タイミングを検知する搬送検知手段を有し、前記用紙に画像を形成して排出する一連の制御処理を実行する画像処理装置であって、
前記搬送検知手段による搬送情報によって前記用紙のジャムを検知するジャム検知手段と、
前記ジャムが発生した場合に取り除かれた用紙を破棄するための、予め定めた装置外に設けた所定の保管場所を登録する登録手段と、
前記ジャムが発生した場合に当該ジャムの解消手順およびジャム用紙の破棄位置を表示手段に表示するよう制御するジャム処理制御手段と、
を備えることを特徴とする画像処理装置。
【請求項３】
前記ジャム処理制御手段は、前記ジャム検知手段によるジャム発生箇所が用紙への画像転写前である場合に、当該ジャムの解消手順および当該ジャム用紙が再利用可能である表示を行うことを特徴とする請求項２に記載の画像処理装置。
【請求項４】
前記ジャム処理制御手段は、前記ジャム検知手段によるジャム発生箇所が用紙への画像転写中である場合に、当該ジャムの解消手順および当該ジャムによる汚染注意の旨と破棄場所を表示することを特徴とする請求項２に記載の画像処理装置。
【請求項５】
前記ジャム処理制御手段は、前記ジャム検知手段によるジャム発生箇所が用紙への画像転写後である場合に、片面印刷か両面印刷かを判断し、片面印刷のときに当該ジャムの解消手順および当該ジャム用紙が裏紙として利用可能である表示を行うことを特徴とする請求項２に記載の画像処理装置。
【請求項６】
前記ジャム処理制御手段は、前記ジャム検知手段によるジャム発生箇所が用紙への画像転写後である場合に、白黒印刷かカラー印刷かを判断し、カラー印刷のときに当該ジャムの解消手順および当該ジャム用紙に応じた白黒／カラー専用置場の表示を行うことを特徴とする請求項２に記載の画像処理装置。
【請求項７】
前記ジャム用紙の破棄場所の登録および書替えを行うジャム用紙破棄場所登録書替手段を備えることを特徴とする請求項１〜６のいずれか一つに記載の画像処理装置。
【請求項８】
前記表示手段に表示される情報を拡大／縮小する表示拡大／縮小手段を備えることを特徴とする請求項１〜７のいずれか一つに記載の画像処理装置。
【請求項９】
用紙を給紙搬送し、この用紙の搬送経路での搬送タイミングを検知する搬送検知手段を有し、前記用紙に画像を形成して排出する一連の制御処理を実行する画像形成装置のジャム用紙処置方法であって、
制御手段が、前記搬送検知手段により用紙のジャム発生を検知し、ジャム発生に応じた所定の制御を行う制御工程と、
ジャム用紙処置報知手段が、前記制御工程の信号にしたがってジャム発生位置に応じて当該ジャム用紙を装置外に設けた所定の保管場所に破棄するように促す報知を行うジャム用紙処置報知工程と、
を含むことを特徴とする画像形成装置のジャム用紙処置方法。
【請求項１０】
用紙を給紙搬送し、この用紙の搬送経路での搬送タイミングを検知する搬送検知手段を有し、前記用紙に画像を形成して排出する一連の制御処理を実行する画像形成装置のジャム用紙処置方法であって、
ジャム検知手段が、前記搬送検知手段による搬送情報によって前記用紙のジャムを検知するジャム検知工程と、
登録手段が、前記ジャムが発生した場合に取り除かれた用紙を破棄するための、予め定めた装置外に設けた所定の保管場所を登録する登録工程と、
ジャム処理制御手段が、前記ジャムが発生した場合に当該ジャムの解消手順およびジャム用紙の破棄位置を表示手段に表示するよう制御するジャム処理制御工程と、
を含むことを特徴とする画像形成装置のジャム用紙処置方法。
【発明の詳細な説明】
【技術分野】
【０００１】
本発明は、画像処理装置および画像形成装置のジャム用紙処置方法に関するものである。
【背景技術】
【０００２】
従来、画像形成装置において、コピー、プリントによるジャム時による対処手順を操作部のＬＣＤに表示する技術が多数知られている。たとえば、特許文献１には、トラブル時のスムーズな処理目的で、自己診断手段が、画像出力するための用紙の搬送経路中のジャムを検出することで、表示制御手段は画像形成装置の外観図内の用紙搬送経路に沿ってジャムした位置でのアイコン画像を表示させ、該アイコン画像の領域をタッチ操作することでその位置でのジャム処理に適したガイダンス情報を順次表示させるようにしたことを特徴とした情報表示装置が開示されている。このように従来は上記ガイダンスによるジャム発生時の対処によりジャム用紙を取り除き、コピー、プリントの作業を継続して実行することを可能としている。
【発明の概要】
【発明が解決しようとする課題】
【０００３】
ところで、昨今では、ジャム用紙は、資源の有効活用を目的に裏紙を再利用したり、リサイクルしやすいように破棄用紙の分類を行う傾向にある。しかしながら、上記に示されるようなジャム対処ガイダンスのみを行う装置にあっては、ジャム用紙をオフィスのどこに捨てたら良いかわからず、すべてゴミ箱に捨ててしまうことが多く、使用可能なジャム用紙を再利用できないという問題があった。
【０００４】
本発明は、上記に鑑みてなされたものであって、ジャム発生時に、オフィスのどこに文書破棄場所があるかを表示することによって、適切な場所へジャム用紙の破棄を促して、用紙の再利用化を促進することを目的とする。
【課題を解決するための手段】
【０００５】
上述した課題を解決し、目的を達成するために、本発明は、用紙を給紙搬送し、この用紙の搬送経路での搬送タイミングを検知する搬送検知手段を有し、前記用紙に画像を形成して排出する一連の制御処理を実行する画像処理装置であって、前記搬送検知手段により用紙のジャム発生を検知し、ジャム発生に応じた所定の制御を行う制御手段と、前記制御手段の制御信号にしたがってジャム発生位置に応じて当該ジャム用紙を装置外に設けた所定の保管場所に破棄するように促す報知を行うジャム用紙処置報知手段と、を備えることを特徴とする。
【発明の効果】
【０００６】
本発明は、ジャム用紙の破棄場所を表示することによって、ユーザーはその場所にジャム用紙を破棄することになるので、装置のトラブルにより発生する紙資源の有効利用を促進することができるという効果を奏する。
【図面の簡単な説明】
【０００７】
【図１】図１は、この実施の形態にかかる画像処理装置の構成を示すブロック図である。
【図２】図２は、この実施の形態にかかる画像処理装置の機能構成を示すブロック図である。
【図３】図３は、この実施の形態にかかる画像処理装置におけるジャム発生時のジャム破棄場所表示処理例（１）を示すフローチャートである。
【図４】図４は、図３のジャム発生時のジャム破棄場所表示処理例を示す説明図である。
【図５】図５は、この実施の形態にかかる画像処理装置におけるジャム発生時のジャム破棄場所表示処理例（２）を示すフローチャートである。
【図６】図６は、図５のジャム発生時のジャム破棄場所表示処理例を示す説明図である。
【図７】図７は、この実施の形態にかかる画像処理装置におけるジャム発生時のジャム破棄場所表示処理例（３）を示すフローチャートである。
【図８】図８は、図７のジャム発生時のジャム破棄場所表示処理例を示す説明図である。
【図９】図９は、この実施の形態にかかる画像処理装置におけるジャム発生時のジャム破棄場所表示処理例（４）を示すフローチャートである。
【図１０】図１０は、図９のジャム発生時のジャム破棄場所表示処理例を示す説明図である。
【図１１】図１１は、この実施の形態にかかる画像処理装置におけるジャム発生時のジャム破棄場所表示処理例（５）を示すフローチャートである。
【図１２】図１２は、図１１のジャム発生時のジャム破棄場所表示処理例を示す説明図である。
【図１３】図１３は、この実施の形態にかかる画像処理装置におけるジャム用紙の破棄場所の登録／書替処理例を示すフローチャートである。
【発明を実施するための形態】
【０００８】
以下に添付図面を参照して、この発明にかかる画像処理装置および画像形成装置のジャム用紙処置方法の一実施の形態を詳細に説明する。
【０００９】
（実施の形態）
まず、画像処理装置の構成・動作について説明する。図１は、この実施の形態にかかる画像処理装置の構成を示すブロック図である。印刷装置７および画像読取装置８を備える画像処理装置Ａは、画像処理装置Ａにおける画像処理全般の制御を行う画像処理制御ユニット１０を有する。この画像処理制御ユニット１０には、印刷装置７を制御する印刷制御ユニット１１と、画像読取装置８を制御する画像読取制御ユニット１２と、が接続されている。
【００１０】
印刷制御ユニット１１は、画像処理制御ユニット１０の制御に従って印刷装置７に対して画像データを含む印刷指示を出力し、印刷装置７に転写紙などの媒体（一般的普及している普通紙、カラー紙、ハガキ、ＯＨＰシートなどの記録媒体、以下、単に、用紙と記述する）に画像を形成して出力させる。印刷装置７はフルカラーの印刷が可能である。その印刷方式は、電子写真方式のほか、インクジェット方式、昇華型熱転写方式、銀塩写真方式、直接感熱記録方式、溶融型熱転写方式など、さまざまな方式を用いることができる。なお、この実施の形態では電子写真方式の印刷装置を例にとって説明する。
【００１１】
画像読取制御ユニット１２は、画像処理制御ユニット１０の制御により画像読取装置８を駆動し、原稿の表面に対するランプ照射の反射光をミラーおよびレンズにより受光素子（たとえば、ＣＣＤ（Ｃｈａｒｇｅ  Ｃｏｕｐｌｅｄ  Ｄｅｖｉｃｅ））に集光して読み取り、Ａ（アナログ）／Ｄ（デジタル）変換してＲＧＢ各８ｂｉｔのデジタル画像データを生成する。
【００１２】
このような画像処理制御ユニット１０は、メインプロセッサであるＣＰＵ（Ｃｅｎｔｒａｌ  Ｐｒｏｃｅｓｓｉｎｇ  Ｕｎｉｔ）１３と、各処理のおけるデータを一時的に格納しておくメモリデバイス（たとえば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等）１４と、制御プログラム等を記憶したＲＯＭ（Ｒｅａｄ  Ｏｎｌｙ  Ｍｅｍｏｒｙ）１５と、システムログ／システム設定／ログ情報等を記録しておく電源ＯＦＦ時にもデータの保持が可能なＮＶＲＡＭ（ｎｏｎ−ｖｏｌａｔｉｌｅ  ＲＡＭ）１６と、をバス接続したマイクロコンピュータシステムで構成とされている。
【００１３】
また、画像処理制御ユニット１０には、多量の画像データの蓄積やジョブ履歴等の蓄積や画像読取装置８から読み込んだＲ（レッド）、Ｇ（グリーン）、Ｂ（ブルー）の画像データをＣ（シアン）、Ｍ（マゼンタ）、Ｙ（イエロー）、Ｋ（ブラック）のデジタル画像データに変換し、印刷装置７による作像に供すべく、画像データを格納するＨＤＤ２（Ｈａｒｄ  Ｄｉｓｋ  Ｄｒｉｖｅ）が接続される。装置内部に設けられた集線装置であるＨＵＢ１９を介して画像処理装置ＡをＬＡＮ（Ｌｏｃａｌ  Ａｒｅａ  Ｎｅｔｗｏｒｋ）に接続するためのＬＡＮ制御部１８、ＦＡＸ（ファクシミリ）制御を行うＦＡＸ制御ユニット２０が接続されている。このＦＡＸ制御ユニット２０は、公衆電話網２１に通じる構内交換器（ＰＢＸ）２２に接続されており、画像処理装置Ａ、遠隔のファクシミリと交信することができる。
【００１４】
また、画像処理制御ユニット１０には、表示制御ユニット２３および操作入力制御ユニット２４が接続されている。表示制御ユニット２３は、画像処理制御ユニット１０の制御信号にしたがって操作パネルＰに対して画像表示の制御を行う。
【００１５】
操作入力制御ユニット２４は、操作パネルＰからのオペレータによる機能設定や入力操作に応じた入力制御信号を、画像処理制御ユニット１０の制御信号によって入力する。操作パネルＰは、たとえばＬＣＤ（Ｌｉｑｕｉｄ  Ｃｒｙｓｔａｌ  Ｄｉｓｐｌａｙ）である表示装置４０と、操作入力装置４１とで構成されている。
【００１６】
操作入力装置４１は、表示装置４０の表面に積層された超音波弾性波方式等のタッチパネルと、複数のキーを有するキーボードとで構成されている。キーボードには、画像読み取りの開始を宣言するためのスタートキー、数値入力を行うためのテンキー、読み取った画像データの送信先を設定する読取条件設定キー、クリアキー等が設けられている。すなわち、表示制御ユニット２３は、画像表示制御信号を表示装置４０に出力し、画像表示制御信号に応じた所定事項を表示装置４０に表示させる。
【００１７】
一方、操作入力制御ユニット３７は、操作入力装置４１におけるオペレータによる機能設定や入力操作に応じた入力制御信号を受信する。
【００１８】
ＨＤＤ２には、あらかじめジャム用紙の破棄場所が登録されている。コピー、ＬＡＮ経由プリント、ＦＡＸ受信プリントなどの印刷によるジャムが発生すると、印刷制御ユニット１１はジャムを検知し、ジャムの発生箇所を画像制御処理ユニット１０へ通知する。画像制御処理ユニット１０は、印刷動作を中断し、表示制御ユニット２３を制御して表示部４０にジャムの解消手順とＨＤＤ２に登録されたジャム用紙の破棄場所を表示する。ジャムが解消されるとコピー、プリントの印刷動作を開始する。
【００１９】
なお、ここでジャムについて説明する。ジャムは当業者においては常識的に知られている紙詰まりを総称している。この実施の形態では、たとえば、電子写真装置において、給紙部での不送り、多数枚送りによる給紙搬送ジャム、画像転写部分での転写搬送ジャム、定着装置から排紙部分での定着排紙ジャム、周辺機としてソート、ステープル機能などを有する用紙後処理装置が装着されている場合は周辺機ジャム、といったように用紙の搬送位置ごとに分類される。
【００２０】
図２は、この実施の形態にかかる画像処理装置の機能構成を示すブロック図である。本構成は図１で示した構成に基づくものであるが、印刷装置７に接続される用紙後処理装置５０を有する構成となっている。
【００２１】
この図２において、符号３０は後述する再利用登録書替手段、符号３１は原稿を読み取り部分に搬送して排紙するＡＤＦ（自動原稿搬送装置）、符号３２はＡＤＦ３１で搬送された原稿を光学走査して読み取る光学スキャナ、符号３３は給紙搬送部、符号３４は転写搬送部、符号３５は定着排紙部、符号３６は両面搬送部、符号３７はジャム検知センサ群、符号４２はジャム発生位置表示、符号４３はジャム解消手順表示、符号４４はジャム用紙破棄場所表示、符号５０は用紙後処理装置、符号５１は用紙後処理制御ユニット、符号５２はスルースタック搬送部、符号５３はステープラ搬送部、符号５４はソートスタック搬送部、符号５５はジャム検知センサ群、符号６０は外部機器Ｉ／Ｆである。
【００２２】
再利用登録書替手段３０は、ＨＤＤ２に、装置の設置場所、ジャム発生箇所ごとの破棄場所を登録し、また、この登録データの変更が生じた際に所定の入力操作情報によって書替える機能を有する。
【００２３】
印刷装置７は、電子写真方式の場合、給紙搬送部３３、転写搬送部３４、定着排紙部３５、両面搬送部３６、ジャム検知センサ群３７を有する。給紙搬送部３３は給紙部に積載収容されている用紙をレジストローラまで給紙搬送する、転写搬送部３４は給紙搬送された用紙に感光体上のトナー像を転写して搬送する。定着排紙部３５は転写搬送された用紙を定着処理して排紙する。両面搬送部３６は、両面印刷時に片面印刷後の用紙を反転して再給紙する。ジャム検知センサ群３７は上記各搬送経路の所定位置に設けられ用紙搬送タイミングを制御するために、用紙をたとえばフォトインタラプタを用いて光学的に検知している。この検知タイミングがずれるとジャムとして検知される。
【００２４】
表示部４０は、画像処理制御ユニット１０の制御信号にしたがって機能する、ジャム発生位置表示４２、ジャム解消手順表示４３、ジャム用紙破棄場所表示４４、を有する。ジャム位置表示４２は印刷装置７、用紙後処理装置５０の各搬送部でのジャム発生位置を表示する。ジャム解消手順表示４３はジャム発生時の用紙の除去手順をガイダンスする表示を行って当該ジャムの解消を促す。ジャム用紙破棄場所表示４４は取り除いたジャム用紙をジャム発生箇所、印刷種類に応じて所定の場所に破棄／再利用するように促す。また、表示部４０は、登録されたジャム用紙の破棄場所をジャムの解消手順とともにその表示（ここではＬＣＤ）を拡大／縮小する機能を有する。
【００２５】
用紙後処理装置５０は、スルースタック搬送部５２、ステープラ搬送部５３、ソートスタック搬送部５４、ジャム検知センサ群５５を有する。スルースタック搬送部５２は印刷された用紙をそのままトレイにスタックする。ステープラ搬送部５３は印刷ジョブごとに綴じ処理を行って排出する。ソートスタック搬送部５４は印刷ジョブごとに仕分けして排紙スタックする。ジャム検知センサ群５５は上記各搬送経路の所定位置に設けられ用紙搬送タイミングを制御するために、用紙をたとえばフォトインタラプタを用いて光学的に検知している。この検知タイミングがずれるとジャムとして検知される。
【００２６】
つぎに、以上のように構成される画像処理装置Ａにおけるジャム発生時の制御処理例についてフローチャートを参照して説明する。以下に示すジャム発生時の制御処理は画像処理制御ユニット１０によって統括的に実行されるものである。
【００２７】
[ジャム発生時の制御処理例１]
図３は、この実施の形態にかかる画像処理装置におけるジャム発生時のジャム破棄場所表示処理例（１）を示すフローチャートである。図３において、この処理を開始するとまず、ユーザーによる印刷動作の要求の有無を判断する（ステップＳ１）。すなわち、ユーザーは、画像読取装置８からの原稿を操作入力装置４１から操作し、コピー操作を行う。また、ＬＡＮ経由のプリント要求をＬＡＮ制御部１８からの通知、またはＦＡＸ受信プリント要求によるＦＡＸ制御ユニット２０からの通知によって画像処理制御ユニット１０が印刷要求があることを判断する。ここで印刷要求がある場合（判断Ｙｅｓ）、印刷データを印刷制御ユニットに転送し、印刷装置７に１ページ印刷する。このとき、印刷制御ユニット１１は、この印刷の用紙搬送過程において搬送経路においてジャム（紙詰まり）の発生の有無を監視する（ステップＳ２）。ここでジャム発生がなければ（判断Ｎｏ）、さらに当該印刷が終了したかどうかを判断する（ステップＳ１０）。当該印刷が終了なら次の要求があるまで待つ（判断Ｙｅｓ）。
【００２８】
一方、当該印刷が終了でなければ、次のページの印刷処理にてジャムが発生したかどうか監視する（ステップＳ２）。ここでジャムが発生したら（判断Ｙｅｓ）、印刷制御ユニット１１は、ジャムの発生箇所を画像処理制御ユニット１０に通知する（ステップＳ３）。画像処理制御ユニット１０は、あらかじめＨＤＤ２に登録してあったジャム用紙破棄場所を読み込み（ステップＳ４）、印刷動作を一時停止する（ステップＳ５）。続いて、画像処理制御ユニット１０は、当該ジャム発生箇所に対応するジャム用紙破棄場所を読み込んで特定し（ステップＳ６）、表示制御ユニット２３にジャム解消手順とジャム用紙破棄場所を表示するように制御し、表示部４０に表示する(ステップＳ７)。ユーザーは、上記表示を見て、ジャムを解消し、ジャム用紙を表示されたジャム用紙破棄場所に破棄する。続いて、画像処理制御ユニット１０は、ジャムが解消されたか否かを判断し（ステップＳ８）、全ジャムが解消されれば(判断Ｙｅｓ)、印刷動作を再開し（ステップＳ９）、印刷動作が終了したかどうかを判断する（ステップＳ９）。ジャムが解消されなければ再度、ジャムの発生箇所を通知する（ステップＳ３）。
【００２９】
上記図３のジャム発生時のジャム破棄場所表示処理例を図４に示す。ここでは、表示部４０に印刷装置１１のジャム発生位置でのジャム解消指示、および除去後のジャム用紙の破棄場所を表示する。この表示例では、図示するように、「斜線箇所を開けてジャム用紙を取り除いて下さい」として装置の外観構成でジャム発生箇所（斜線部分）を示してジャム解消の旨を表示するとともに、「下記の斜線の箱にジャム用紙を破棄して下さい」として取り除いたジャム用紙の破棄場所（フロアのレイアウト）を表示している。これにより、ジャム用紙を取り除く作業が的確に行えるとともに、適切な場所へのジャム用紙の破棄が行えるので、その用紙の再利用化の促進を図ることが可能となる。
【００３０】
[ジャム発生時の制御処理例２]
図５は、この実施の形態にかかる画像処理装置におけるジャム発生時のジャム破棄場所表示処理例（２）を示すフローチャートである。この図５の処理は、前述した図３の処理に対して、ステップＳ１６およびステップＳ２２の処理動作を付加したものである。図５において、画像処理制御ユニット１０は、印刷制御ユニット１１から通知されたジャム発生箇所が転写前かどうかを判断する（ステップＳ１６）。ここで転写前でなければ（判断Ｎｏ）、前述した図３の動作を行い、一方、転写前ならば(判断Ｙｅｓ)、ジャム用紙は白紙のままなので再利用可能と判断し、画像処理制御ユニット１０は、ジャム解消手順とジャム用紙再利用可能である旨を一緒に表示するため、表示制御ユニット２３を制御し、表示部４０に表示する（ステップＳ２２）。
【００３１】
上記図５のジャム発生時のジャム破棄場所表示処理例を図６に示す。ここでは、表示部４０に印刷装置１１のジャム発生位置でのジャム解消指示、および除去後のジャム用紙の再利用の旨を表示する。この表示例では、図示するように、「斜線箇所を開けてジャム用紙を取り除いて下さい」として装置の外観構成でジャム発生箇所（斜線部分）を示してジャム解消の旨を表示するとともに、「ジャム用紙は白紙です。再利用可能です。」として取り除いたジャム用紙の印刷再利用を表示している。これにより、ジャム用紙を取り除く作業が的確に行えるとともに、そのジャム用紙の印刷装置での再利用化の促進を図ることが可能となる。
【００３２】
[ジャム発生時の制御処理例３]
図７は、この実施の形態にかかる画像処理装置におけるジャム発生時のジャム破棄場所表示処理例（３）を示すフローチャートである。この図７の処理は、前述した図３の処理に対して、ステップＳ３６およびステップＳ４２の処理動作を付加したものである。この図７において、画像処理制御ユニット１０は、印刷制御ユニット１１から通知されたジャム発生箇所が転写中かどうかを判断する(ステップＳ３６)。ここで転写中でなければ(判断Ｎｏ)、前述した図３の動作を行い、一方、転写中ならば（判断Ｙｅｓ）、ジャム用紙は定着前でトナーが付着している状態と判断し、画像処理制御ユニット１０は、ジャム解消手順とトナーの飛散注意表示とジャム用紙破棄場所を一緒に表示するため、表示制御ユニット２３を制御し、表示部４０に表示する(ステップＳ４２)。
【００３３】
上記図７のジャム発生時のジャム破棄場所表示処理例を図８に示す。ここでは、表示部４０に印刷装置１１のジャム発生位置でのジャム解消指示、および除去後のジャム用紙の破棄場所を表示する。この表示例では、図示するように、「斜線箇所を開けてジャム用紙を取り除いて下さい」として装置の外観構成でジャム発生箇所（斜線部分）を示してジャム解消の旨を表示するとともに、「トナー飛散に注意して、下記の斜線の箱にジャム用紙を破棄して下さい」として取り除いたジャム用紙の破棄を表示している。これにより、ジャム用紙を取り除く作業が的確に行えるとともに、そのジャム用紙は未定着トナーで汚れているので印刷装置での再利用は不可として、適切な場所へのジャム用紙の破棄が行うことが可能となる。
【００３４】
[ジャム発生時の制御処理例４]
図９は、この実施の形態にかかる画像処理装置におけるジャム発生時のジャム破棄場所表示処理例（４）を示すフローチャートである。この図９の処理は、前述した図３の処理に対して、ステップＳ５６およびステップＳ６２〜Ｓ６４の処理動作を付加したものである。この図９において、画像処理制御ユニット１０は、印刷制御ユニット１１から通知されたジャム発生箇所が転写後かどうかを判断する(ステップＳ５６)。ここで転写後でなければ（判断Ｎｏ）、前述した図３の動作を行い、一方、転写後ならば（判断Ｙｅｓ）、さらに片面印刷か両面印刷かを判断する（ステップＳ６２）。ここで片面印刷ならば(判断Ｙｅｓ)、画像処理制御ユニット１０は、あらかじめＨＤＤ２に登録してあった裏紙専用置き場のデータを読み込む（ステップＳ６３）。続いて、画像処理制御ユニット１０は、ジャム解消手順と裏紙専用置場を一緒に表示するため、表示制御ユニット２３を制御し、表示部４０に表示する(ステップＳ６４)。一方、ステップＳ６２において両面印刷なら（判断Ｎｏ）、ＨＤＤ２に登録してあったジャム用紙破棄場所読み込みを行う。
【００３５】
上記図９のジャム発生時のジャム破棄場所表示処理例を図１０に示す。ここでは、表示部４０に印刷装置１１のジャム発生位置でのジャム解消指示、および除去後のジャム用紙の破棄場所を表示する。この表示例では、図示するように、「斜線箇所を開けてジャム用紙を取り除いて下さい」として装置の外観構成でジャム発生箇所（斜線部分）を示してジャム解消の旨を表示するとともに、「ジャム用紙は、裏紙としてメモなどに使用できるので、下記斜線の裏紙専用置場に置いて下さい」として取り除いたジャム用紙の裏紙での再利用を表示している。これにより、ジャム用紙を取り除く作業が的確に行えるとともに、ジャム用紙の適切な場所への破棄が行えるので、その裏紙としての用紙の再利用化の促進を図ることが可能となる。
【００３６】
[ジャム発生時の制御処理例５]
図１１は、この実施の形態にかかる画像処理装置におけるジャム発生時のジャム破棄場所表示処理例（５）を示すフローチャートである。この図１１の処理は、前述した図３の処理に対して、ステップＳ７６およびステップＳ８２〜Ｓ８６の処理動作を付加したものである。この図１１において、画像処理制御ユニット１０は、印刷制御ユニット１１から通知されたジャム発生箇所が転写後かどうかを判断する（ステップＳ７６）。ここで転写後でなければ（判断Ｎｏ）、前述した図３の動作を行い、一方、転写後ならば（判断Ｙｅｓ）、さらに白黒印刷かカラー印刷かを判断する（ステップＳ８２）。ここで白黒印刷ならば(判断Ｙｅｓ)、画像処理制御ユニット１０は、あらかじめＨＤＤ２に登録してあった白黒専用置場データを読み込む（ステップＳ８３）。続いて、画像処理制御ユニット１０は、ジャム解消手順と白黒専用置場を一緒に表示するため、表示制御ユニット２３を制御し、表示部４０に表示する（ステップＳ８４）。一方、ステップＳ８２においてカラー印刷ならば(判断Ｎｏ)、画像処理制御ユニット１０は、あらかじめＨＤＤ２に登録してあったカラー専用置場のデータを読み込む(ステップＳ８５)。続いて、画像処理制御ユニット１０は、ジャム解消手順とカラー専用置場を一緒に表示するため、表示制御ユニット２３を制御し、表示部４０に表示する(ステップＳ８６)。
【００３７】
上記図１１のジャム発生時のジャム破棄場所表示処理例を図１２に示す。ここでは、表示部４０に印刷装置１１のジャム発生位置でのジャム解消指示、および除去後のジャム用紙の破棄場所を表示する。この表示例では、図示するように、「斜線箇所を開けてジャム用紙を取り除いて下さい」として装置の外観構成でジャム発生箇所（斜線部分）を示してジャム解消の旨を表示するとともに、「白黒印刷のジャム用紙は、下記斜線の専用置場に置いて下さい」として取り除いた白黒印刷のジャム用紙の破棄場所を表示している。これにより、ジャム用紙を取り除く作業が的確に行えるとともに、ジャム用紙の適切な場所への破棄が行えるので、その用紙の再利用化の促進を図ることが可能となる。
【００３８】
[ジャム用紙の破棄場所の登録／書替処理例]
図１３は、この実施の形態にかかる画像処理装置におけるジャム用紙の破棄場所の登録／書替処理例を示すフローチャートである。この処理では、ユーザーは、ジャム用紙の破棄場所、再利用、裏紙専用置場、白黒紙専用、カラー紙専用置場をＡ４サイズ、Ｂ５サイズ、Ａ３サイズなどの用紙にあらかじめワードプロセッサーなどで作成する。操作パネルからジャム用紙の破棄場所／置場登録を行う。
【００３９】
図１３において、画像処理制御ユニット１０は、まず、ユーザーによるジャム用紙の破棄場所／置場登録があるか否かを判断する（ステップＳ９１）。ユーザー操作は、たとえば操作入力装置４１の設定ボタン（不図示）を押すことによりＬＣＤ画面から選択できる。ここでジャム用紙の破棄場所／置場登録があれば（判断Ｙｅｓ）、さらに破棄場所登録であるか否かを判断する（ステップＳ９２）。ここで破棄場所登録選択ならば（判断Ｙｅｓ）、画像処理制御ユニット１０は、表示制御ユニット２３を制御して表示部４０に、破棄場所を記載した用紙を画像読取装置８にセットしてスタートボタンを押して下さいの表示をする。用紙がセットされ、操作入力装置４１からスタートボタンが押されると、操作入力制御ユニット２４から画像処理制御ユニット１０にスタートボタンが押されたことを通知する。画像処理制御ユニット１０は、画像読取制御ユニット１２を制御して、画像読取装置８の用紙を読み取る（ステップＳ９３）。続いて、この読み取った画像データをタグ１としてＨＤＤ２に登録する(ステップＳ９４)。
【００４０】
一方、ステップＳ９２において破棄場所登録でなければ（判断Ｎｏ）、さらに再利用登録であるか否かを判断する（ステップＳ９５）。ここで再利用登録であれば（判断Ｙｅｓ）、上記と同様に画像読取装置８で再利用登録用の原稿を読み取り（ステップＳ９６）、タグ２としてＨＤＤ２に登録する（ステップＳ９７）。
【００４１】
ステップＳ９５において再利用登録でなければ（判断Ｎｏ）、さらに裏紙専用置場登録であるか否かを判断する（ステップＳ９８）。ここで裏紙専用置場登録であれば（判断Ｙｅｓ）、上記と同様に画像読取装置８で裏紙専用置場登録用の原稿を読み取り（ステップＳ９９）、タグ３としてＨＤＤ２に登録する（ステップＳ１００）。
【００４２】
ステップＳ９８において裏紙専用置場登録でなければ（判断Ｎｏ）、さらに白黒紙専用置場登録であるか否かを判断する（ステップＳ１０１）。ここで白黒紙専用置場登録であれば（判断Ｙｅｓ）、上記と同様に画像読取装置８で白黒紙専用置場登録用の原稿を読み取り（ステップＳ１０２）、タグ４としてＨＤＤ２に登録する（ステップＳ１０３）。
【００４３】
ステップＳ１０１において白黒紙専用置場登録でなければ（判断Ｎｏ）、さらにカラー紙専用置場登録であるか否かを判断する（ステップＳ１０４）。ここでカラー紙専用置場登録であれば（判断Ｙｅｓ）、上記と同様に画像読取装置８で白黒紙専用置場登録用の原稿を読み取り（ステップＳ１０５）、タグ５としてＨＤＤ２に登録する（ステップＳ１０３）。このように、再利用登録、裏紙専用置場登録、白黒紙専用置場、カラー紙専用置場）を各タグ番号でＨＤＤ２に登録する。画像処理制御ユニットは、ジャム時の状態にあった各タグ番号の画像データをＨＤＤ２から読み込み、表示部４０に表示する。
【００４４】
また、フロア移動、レイアウト変更などにより画像処理装置の設置場所が変わった場合に応じて、表示部４０への表示内容が適宜変更されるように、ＨＤＤ２に登録されている画像処理装置の設置場所やジャム用紙の破棄場所にかかわるデータを書替えることもできる。たとえば、この書替えは、図１に示したＬＡＮを介して外部から該当するデータを入力することで実現する。
【産業上の利用可能性】
【００４５】
以上のように、本発明にかかる画像処理装置および画像形成装置のジャム用紙処置方法は、複写機、プリンタ、複合機などの画像形成装置に有用であり、特に、搬送ジャム発生時の用紙の破棄にかかわる対処などを行う装置、システムに適している。
【符号の説明】
【００４６】
２  ＨＤＤ
７  印刷装置
８  画像読取装置
１０  画像処理制御ユニット
１１  印刷制御ユニット
１２  画像読取制御ユニット
３０  再利用登録書替手段
３７  ジャム検知センサ群
４０  表示部
４１  操作入力装置
４２  ジャム発生位置表示
４３  ジャム解消手順表示
４４  ジャム用紙破棄場所表示
【先行技術文献】
【特許文献】
【００４７】
【特許文献１】特許第３５５８８５３号公報
【図１】
0005630120.tif 000002
【図２】
0005630120.tif 000003
【図３】
0005630120.tif 000004
【図４】
0005630120.tif 000005
【図５】
0005630120.tif 000006
【図６】
0005630120.tif 000007
【図７】
0005630120.tif 000008
【図８】
0005630120.tif 000009
【図９】
0005630120.tif 000010
【図１０】
0005630120.tif 000011
【図１１】
0005630120.tif 000012
【図１２】
0005630120.tif 000013
【図１３】
0005630120.tif 000014